(57)【要約】【課題】処方監査に必要な情報をより効率良く把握できるようにすること。【解決手段】処方監査情報表示装置１００は、患者に処方された薬品に対するチェックのうちチェックレベルが存在する第１チェックの内容を示す第１チェック情報と、チェックのうちチェックレベルが存在しない第２チェックの内容を示す第２チェック情報と、を記憶する記憶部３０と、第１チェック情報をチェックレベル別に表示する表示部２０と、表示部２０を制御する制御部４０と、を備える。制御部４０は、複数種類の第２チェックのうち少なくとも１つが指定された場合、チェックレベルのうち最も重要度が高いチェックレベルの第１チェック情報が表示される領域に、第１チェック情報とともに、指定された第２チェックの内容を示す第２チェック情報を表示するように表示部２０を制御する。【選択図】図１
2019109741.tif 000002
【特許請求の範囲】
【請求項１】
患者に処方された薬品に対するチェックのうちチェックレベルが存在する第１チェックの内容を示す第１チェック情報と、前記チェックのうちチェックレベルが存在しない第２チェックの内容を示す第２チェック情報と、を記憶する記憶部と、
予め指定されたチェックレベルの前記第１チェック情報を表示する表示部と、
前記表示部を制御する制御部と、を備え、
前記制御部は、
予め定められた複数種類の前記第２チェックのうち少なくとも１つが指定された場合、前記チェックレベルのうち最も重要度が高いチェックレベルの前記第１チェック情報が表示される領域に、該第１チェック情報とともに、指定された前記第２チェックの内容を示す前記第２チェック情報を表示するように前記表示部を制御する、
処方監査情報表示装置。
【請求項２】
前記制御部は、
予め定められた複数の前記第２チェックの種類のうち少なくとも１つが指定された場合、前記第１チェック情報および前記第２チェック情報が表示される領域とは異なる領域に、前記第１チェック情報の数と前記第２チェック情報の数との合計数を表示するように前記表示部を制御する、
請求項１に記載の処方監査情報表示装置。
【請求項３】
前記制御部は、
前記第１チェックの種類および前記第２チェックの種類のそれぞれに対して指定された表示順に基づいて、前記第１チェック情報および前記第２チェック情報を表示するように前記表示部を制御する、
請求項１または２に記載の処方監査情報表示装置。
【請求項４】
前記最も重要度が高いチェックレベルは、禁忌である、
請求項１から３のいずれか１項に記載の処方監査情報表示装置。
【請求項５】
指定対象となる前記第２チェックの種類は、廃止薬剤チェック、重複投与チェック、服用時点チェック、長期投与チェック、休薬期間チェック、粉砕分割一包化チェック、および薬剤チェックのうちの少なくとも１つである、
請求項１から４のいずれか１項に記載の処方監査情報表示装置。
【請求項６】
患者に処方された薬品に対するチェックのうちチェックレベルが存在する第１チェックの内容を示す第１チェック情報を所定の記憶部から読み出し、予め指定されたチェックレベルの前記第１チェック情報を表示するステップと、
前記チェックのうちチェックレベルが存在しない第２チェックの内容を示す第２チェック情報を所定の記憶部から読み出し、予め定められた複数種類の前記第２チェックのうち少なくとも１つが指定された場合、前記チェックレベルのうち最も重要度が高いチェックレベルの前記第１チェック情報が表示される領域に、該第１チェック情報とともに、指定された前記第２チェックの内容を示す前記第２チェック情報を表示するステップと、を含む、
処方監査情報表示方法。
【請求項７】
患者に処方された薬品に対するチェックのうちチェックレベルが存在する第１チェックの内容を示す第１チェック情報を所定の記憶部から読み出し、予め指定されたチェックレベルの前記第１チェック情報を表示する処理と、
前記チェックのうちチェックレベルが存在しない第２チェックの内容を示す第２チェック情報を所定の記憶部から読み出し、予め定められた複数種類の前記第２チェックのうち少なくとも１つが指定された場合、前記チェックレベルのうち最も重要度が高いチェックレベルの前記第１チェック情報が表示される領域に、該第１チェック情報とともに、指定された前記第２チェックの内容を示す前記第２チェック情報を表示する処理と、をコンピュータに実行させる、
処方監査情報表示プログラム。
【発明の詳細な説明】
【技術分野】
【０００１】
本発明は、処方監査に必要な情報を表示する処方監査情報表示装置、処方監査情報表示方法、および処方監査情報表示プログラムに関する。
【背景技術】
【０００２】
薬剤師は、病院等の医療機関が発行した処方箋に従って薬剤を調合する。その際、薬剤師は、処方箋の内容を見て、適切な投与量になっているか、重複投与となっていないか、禁忌処方となっていないかなどを調べる処方監査（「処方鑑査」とも表記される）を行わなければならない。
【０００３】
従来、処方監査に必要な情報を効率的に把握することを可能にする表示装置が多数提案されてきた。
【０００４】
例えば、特許文献１には、薬剤ごとの項目を表示する薬剤欄と、処方監査関連情報の項目を表示する処方監査関連情報欄と、所定の薬剤の項目と所定の処方監査関連情報の項目とに該当する処方監査関連情報の数を表示する交差欄と、処方監査関連情報の具体的な情報を表示する具体情報欄とを表示部に表示し、薬剤欄、処方監査関連情報欄、および、交差欄のうちの少なくとも一つの欄の選択を受け付け、選択された欄における処方監査関連情報の数に基づいて、具体情報欄に具体的な情報を表示するマトリクス表示装置が開示されている。
【先行技術文献】
【特許文献】
【０００５】
【特許文献１】特許第５２４９４５７号公報
【発明の概要】
【発明が解決しようとする課題】
【０００６】
処方監査に必要な情報としては、チェックレベル（例えば、禁忌、注意等）が存在するチェック（例えば、相互作用チェック、副作用チェック等）の内容を示す情報（以下、第１チェック情報という）と、チェックレベルが存在しないチェック（例えば、重複投与チェック、服用時点チェック等）の内容を示す情報（以下、第２チェック情報という）がある。
【０００７】
しかしながら、特許文献１には、上述した第１チェック情報をチェックレベル別に表示する点についての説明はあるが、上述した第２チェック情報を表示する点については言及されていない。よって、処方監査に必要な情報を効率良く把握するためには、改善の余地があった。
【０００８】
本発明の目的は、処方監査に必要な情報をより効率良く把握することができる処方監査情報表示装置、処方監査情報表示方法、および処方監査情報表示プログラムを提供することである。
【課題を解決するための手段】
【０００９】
本発明に係る処方監査情報表示装置は、患者に処方された薬品に対するチェックのうちチェックレベルが存在する第１チェックの内容を示す第１チェック情報と、前記チェックのうちチェックレベルが存在しない第２チェックの内容を示す第２チェック情報と、を記憶する記憶部と、予め指定されたチェックレベルの前記第１チェック情報を表示する表示部と、前記表示部を制御する制御部と、を備え、前記制御部は、予め定められた複数種類の前記第２チェックのうち少なくとも１つが指定された場合、前記チェックレベルのうち最も重要度が高いチェックレベルの前記第１チェック情報が表示される領域に、該第１チェック情報とともに、指定された前記第２チェックの内容を示す前記第２チェック情報を表示するように前記表示部を制御する。
【００１０】
本発明に係る処方監査情報表示方法は、患者に処方された薬品に対するチェックのうちチェックレベルが存在する第１チェックの内容を示す第１チェック情報を所定の記憶部から読み出し、予め指定されたチェックレベルの前記第１チェック情報を表示するステップと、前記チェックのうちチェックレベルが存在しない第２チェックの内容を示す第２チェック情報を所定の記憶部から読み出し、予め定められた複数種類の前記第２チェックのうち少なくとも１つが指定された場合、前記チェックレベルのうち最も重要度が高いチェックレベルの前記第１チェック情報が表示される領域に、該第１チェック情報とともに、指定された前記第２チェックの内容を示す前記第２チェック情報を表示するステップと、を含む。
【００１１】
本発明に係る処方監査情報表示プログラムは、患者に処方された薬品に対するチェックのうちチェックレベルが存在する第１チェックの内容を示す第１チェック情報を所定の記憶部から読み出し、予め指定されたチェックレベルの前記第１チェック情報を表示する処理と、前記チェックのうちチェックレベルが存在しない第２チェックの内容を示す第２チェック情報を所定の記憶部から読み出し、予め定められた複数種類の前記第２チェックのうち少なくとも１つが指定された場合、前記チェックレベルのうち最も重要度が高いチェックレベルの前記第１チェック情報が表示される領域に、該第１チェック情報とともに、指定された前記第２チェックの内容を示す前記第２チェック情報を表示する処理と、をコンピュータに実行させる。
【発明の効果】
【００１２】
本発明によれば、処方監査に必要な情報をより効率良く把握することができる。
【図面の簡単な説明】
【００１３】
【図１】本発明の実施の形態に係る処方監査情報表示装置の構成の一例を示すブロック図
【図２】本発明の実施の形態に係る処方監査情報表示装置の動作の一例を示すフローチャート
【図３】本発明の実施の形態に係る表示画面の一例を示す図
【図４】本発明の実施の形態に係る表示画面の一例を示す図
【図５】本発明の変形例に係る表示画面の一例を示す図
【発明を実施するための形態】
【００１４】
以下、本発明の実施の形態について図面を参照しながら説明する。
【００１５】
まず、本発明の実施の形態に係る処方監査情報表示装置１００の構成について、図１を用いて説明する。図１は、本実施の形態に係る処方監査情報表示装置１００の構成の一例を示すブロック図である。
【００１６】
処方監査情報表示装置１００は、入力部１０、表示部２０、記憶部３０、および制御部４０を有する。
【００１７】
入力部１０は、例えば、キーボード、マウス、ハンディスキャナ等の入力デバイスである。
【００１８】
例えば、入力部１０は、ユーザ（例えば、処方監査を行う薬剤師）によって行われる、患者の情報を入力する操作、処方箋の情報を入力する操作、または、処方監査に必要な情報の表示を指示する操作等を受け付け、受け付けた操作の内容を制御部４０に伝達する。
【００１９】
処方監査に必要な情報としては、チェックレベルが存在するチェック（以下、第１チェックという）の内容を示す第１チェック情報と、チェックレベルが存在しないチェック（第２チェック）の内容を示す第２チェック情報とがある。
【００２０】
本実施の形態では、チェックレベルが禁忌、相対禁忌、および注意である場合を例に挙げて説明するが、これらに限定されない。禁忌、相対禁忌、および注意は、この順に重要度が高い。よって、最も重要度が高いチェックレベルは、禁忌である。
【００２１】
また、第１チェックの種類としては、例えば、相互作用チェック、副作用（病歴、各種アレルギー等）チェック、および副作用歴チェック等がある。
【００２２】
また、第２チェックの種類としては、例えば、廃止薬剤チェック、重複投与チェック、服用時点チェック、長期投与チェック、休薬期間チェック、粉砕分割一包化チェック、および薬剤チェック等がある。
【００２３】
また、本実施の形態では、入力部１０は、上述した第２チェックの種類の中から少なくとも１つを指定する操作（以下、第２チェック指定操作という）を受け付ける。この第２チェック指定操作により指定された第２チェックの内容を示す第２チェック情報は、禁忌の第１チェック情報とともに、表示部２０に表示される。この具体例については後述する。
【００２４】
表示部２０は、種々の情報を表示可能な液晶ディスプレイなどの表示デバイスである。
【００２５】
例えば、表示部２０は、制御部４０の制御により、第１チェック情報および第２チェック情報を画面表示する。表示画面の例については後述する。
【００２６】
記憶部３０は、種々の情報を記憶するハードディスク装置やメモリなどの記憶デバイスである。
【００２７】
例えば、記憶部３０は、第１チェック情報および第２チェック情報を記憶する。第１チェック情報は、チェックレベル毎に記憶される。
【００２８】
記憶部３０に記憶される第１チェック情報および第２チェック情報の内容は、例えば、患者の情報および処方箋の情報等に基づいて行われたチェックの結果であってもよいし、予め定められた薬剤の特徴や使用上の注意点であってもよい。
【００２９】
制御部４０は、処方監査情報表示装置１００の各部の処理を制御するＣＰＵ（Central Processing Unit）などの制御デバイスである。
【００３０】
例えば、制御部４０は、記憶部３０から第１チェック情報および第２チェック情報を読み出し、それらの情報を表示するように表示部２０を制御する。この制御の例については後述する。
【００３１】
上述した各部の機能は、コンピュータプログラムにより実現され得る。
【００３２】
上記各部の機能をプログラムにより実現するコンピュータは、キーボードやマウス、タッチパッドなどの入力装置、ディスプレイやスピーカなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、これらのデバイスはバスにより接続される。
【００３３】
そして、読取装置は、上記各部の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各部の機能を実現するためのプログラムを記憶装置に記憶させる。
【００３４】
そして、ＣＰＵが、記憶装置に記憶されたプログラムをＲＡＭにコピーし、そのプログラムに含まれる命令をＲＡＭから順次読み出して実行することにより、上記各部の機能が実現される。
【００３５】
以上、処方監査情報表示装置１００の構成について説明した。
【００３６】
次に、処方監査情報表示装置１００の動作（処方監査情報表示方法の一例）について、図２〜図４を用いて説明する。図２は、処方監査情報表示装置１００の動作の一例を示すフローチャートである。図３および図４は、禁忌が指定されている場合に処方監査情報表示装置１００の動作により表示される表示画面の一例を示す図である。
【００３７】
図２に示すフローは、入力部１０が、処方監査に必要な情報の表示を指示する操作を受け付けた場合に実行される。
【００３８】
まず、制御部４０は、記憶部３０から第１チェック情報および第２チェック情報を読み出す（ステップＳ１）。
【００３９】
次に、制御部４０は、第２チェック指定操作によって少なくとも１種類以上の第２チェックが指定されているか否かを判定する（ステップＳ２）。
【００４０】
第２チェックが１種類も指定されていない場合（ステップＳ２：ＮＯ）、制御部４０は、チェックレベルが禁忌に該当する第１チェック情報を、表示画面における第１の表示領域に表示するように表示部２０を制御する（ステップＳ３）。
【００４１】
また、制御部４０は、第１チェック情報の数および第２チェック情報の数を、表示画面における第２の表示領域に表示するように表示部２０を制御する。第２の表示領域は、第１の表示領域とは異なる領域である。
【００４２】
表示部２０は、上記制御に従って、第１チェック情報、第１チェック情報の数、および第２チェック情報の数を表示する。
【００４３】
このときの表示画面の一例について、図３を用いて説明する。図３は、禁忌が指定されており、第２チェックが１種類も指定されていない場合における表示部２０の表示画面の一例を示す図である。
【００４４】
図３に示すように、第１の表示領域５０には、チェックレベルが禁忌である第１チェック情報６０、６１が表示される。第１チェック情報６０、６１は、副作用チェックの内容を示す情報である。なお、第１の表示領域５０に表示される第１チェック情報の数は、２つに限定されない。
【００４５】
また、図３に示すように、第２の表示領域５１には、チェックレベル（禁忌、相対禁忌、注意）毎に第１チェック情報の数が表示されるとともに、「その他」の欄に第２チェック情報の数が表示される。
【００４６】
なお、図示は省略するが、第１の表示領域５０に表示中の第１チェック情報が禁忌であることをユーザに認識させるために、第２の表示領域５１における「禁忌」および「２」の文字は、それら以外の文字と比べて、強調して表示されている。強調表示の方法としては、例えば、色の違い（濃淡を含む）、文字の大きさ、文字に対する装飾の付加等が挙げられる。
【００４７】
また、図３において、ユーザにより禁忌以外を指定する操作が行われた場合、第１の表示領域５０における第１チェック情報の表示が切り替わる。例えば、相対禁忌が指定された場合、第１の表示領域５０において、禁忌の第１チェック情報６０、６１は非表示となり、新たに相対禁忌の第１チェック情報が表示される。また、例えば、その他が指定された場合、第１の表示領域５０において、禁忌の第１チェック情報６０、６１は非表示となり、新たに第２チェック情報が表示される。
【００４８】
以下、図２の説明に戻る。
【００４９】
少なくとも１種類の第２チェックが指定されている場合（ステップＳ２：ＹＥＳ）、制御部４０は、チェックレベルが禁忌に該当する第１チェック情報と、指定された第２チェックに該当する第２チェック情報とを第１の表示領域に表示するように表示部２０を制御する（ステップＳ４）。
【００５０】
また、上述したステップＳ３の場合と同様に、制御部４０は、第１チェック情報の数および第２チェック情報の数を、表示画面における第２の表示領域に表示するように表示部２０を制御する。
【００５１】
表示部２０は、上記制御に従って、第１チェック情報、第２チェック情報、第１チェック情報の数、および第２チェック情報の数を表示する。
【００５２】
このときの表示画面の一例について、図４を用いて説明する。図４は、禁忌が指定されており、第２チェックが少なくとも１種類指定されている場合における表示部２０の表示画面の一例を示す図である。
【００５３】
図４に示すように、第１の表示領域５０には、チェックレベルが禁忌である第１チェック情報６０、６１に加えて、第２チェック指定操作により指定された第２チェックに該当する第２チェック情報７０、７１が表示される。第２チェック情報７０は、休薬期間チェックの内容を示す情報であり、第２チェック情報７１は、薬剤チェックの内容を示す情報である。なお、第１の表示領域５０に表示される第２チェック情報の数は、２つに限定されない。
【００５４】
このように、指定された第２チェック情報は、禁忌扱いとして、禁忌の第１チェック情報とともに表示される。よって、第２の表示領域５１における「禁忌」の欄には、第１チェック情報６０、６１の数と、第２チェック情報７０、７１の数とを合計した「４」が表示される。
【００５５】
なお、上記図３を用いて説明したとおり、図４においても、第１の表示領域５０に表示中の第１チェック情報が禁忌であることをユーザに認識させるために、第２の表示領域５１における「禁忌」および「４」の文字は、それら以外の文字と比べて、強調して表示されている。
【００５６】
また、上記図３を用いて説明したとおり、図４においても、ユーザにより禁忌以外を指定する操作が行われた場合、第１の表示領域５０における第１チェック情報および第２チェック情報の表示が切り替わる。
【００５７】
以上、処方監査情報表示装置１００の動作について説明した。
【００５８】
本実施の形態の処方監査情報表示装置１００は、予め定められた複数種類の第２チェックのうち少なくとも１つが指定された場合、チェックレベルのうち最も重要度が高い禁忌の第１チェック情報が表示される領域に、その第１チェック情報とともに、指定された第２チェックの内容を示す第２チェック情報を表示する。これにより、ユーザは、最も重要度が高い第１チェック情報と、自らが所望する第２チェック情報とを一目で視認することができる。したがって、ユーザは、処方監査に必要な情報をより効率良く把握することができる。
【００５９】
なお、本発明は、上述の実施の形態に限定されるものではなく、本発明の趣旨を逸脱しない範囲で、適宜変形して実施することが可能である。
【００６０】
例えば、図３および図４に示した第１の表示領域５０における情報の表示順は、ユーザによって指定されてもよい。
【００６１】
例えば、ユーザは、相互作用チェック、副作用チェック、副作用歴チェック（以上、第１チェックの一例）、廃止薬剤チェック、重複投与チェック、服用時点チェック、長期投与チェック、休薬期間チェック、粉砕分割一包化チェック、薬剤チェック（以上、第２チェックの一例）のそれぞれに対して、表示順を指定することができる。
【００６２】
そして、制御部４０は、ユーザによって指定された表示順で第１の表示領域５０に情報が表示されるように表示部２０を制御する。
【００６３】
例えば、薬剤チェック、休薬期間チェック、副作用チェックの順の指定があった場合、図５に示すように、第１の表示領域５０において、一番上に薬剤チェックの内容を示す第２チェック情報７１が表示され、その下に休薬期間チェックの内容を示す第２チェック情報７０が表示され、その下に副作用チェックの内容を示す第１チェック情報６０、６１が表示される。
【産業上の利用可能性】
【００６４】
本発明は、処方監査情報を表示する技術全般に適用することができる。
【符号の説明】
【００６５】
１０  入力部
２０  表示部
３０  記憶部
４０  制御部
５０  第１の表示領域
５１  第２の表示領域
６０、６１  第１チェック情報
７０、７１  第２チェック情報
１００  処方監査情報表示装置
【図１】
2019109741.tif 000003
【図２】
2019109741.tif 000004
【図３】
2019109741.tif 000005
【図４】
2019109741.tif 000006
【図５】
2019109741.tif 000007